(57)【要約】【課題】  現場においてより容易に施工することができ、かつ、より平坦な床面を確保することができる二重床構造を得る。【解決手段】  床スラブ１上に可撓性のフレキシブルシート２０を載置し、そのフレキシブルシート２０に、複数の支持脚１０を所定間隔で突設する。各支持脚１０を、フレキシブルシート２０に固定される支柱１１と、この支柱１１にスペーサ１２を介して高さ調整可能に取り付けられてパネル部材２を載置する上下可動部材１３と、によって構成する。【選択図】      図１
2007077770.tif 000002
【特許請求の範囲】
【請求項１】
基礎床とパネル部材との間に空間を形成する二重床構造において、
基礎床の表面形状に倣って撓む可撓性のベース部材と、
前記ベース部材上に所定間隔で複数突設される支柱と、
前記支柱にその上下位置を可変設定可能に支持される上下可動部材と、
を備え、
前記上下可動部材上に前記パネル部材を載置するようにしたことを特徴とする二重床構造。
【請求項２】
前記支柱と上下可動部材との間に着脱可能に介装されるスペーサを備えることを特徴とする請求項１に記載の二重床構造。
【請求項３】
前記スペーサを前記支柱または前記上下可動部材に係止する係止機構を設けたことを特徴とする請求項２に記載の二重床構造。
【請求項４】
前記ベース部材の端縁に突設される支柱分割体を複数合体させて一つの前記支柱が形成されるようにしたことを特徴とする請求項１〜３のうちいずれか一つに記載の二重床構造。
【請求項５】
前記ベース部材をシートとして構成したことを特徴とする請求項１〜４のうちいずれか一つに記載の二重床構造。
【請求項６】
前記支柱に、上方に向けて突出する雄ネジ部を設け、
前記上下可動部材を、前記雄ネジ部に螺合する雌ネジとして構成したことを特徴とする請求項５に記載の二重床構造。
【請求項７】
基礎床に上に設置されてパネル部材を載置する二重床構造用の支持脚であって、
支柱と、
前記支柱にその上下位置を可変設定可能に固定される上下可動部材と、
前記支柱と上下可動部材との間に着脱可能に介装されるスペーサと、
を備えることを特徴とする支持脚。
【請求項８】
前記スペーサを前記支柱または前記上下可動部材に係止する係止機構を設けたことを特徴とする請求項７に記載の支持脚。
【発明の詳細な説明】
【技術分野】
【０００１】
本発明は、基礎床とパネル部材との間に空間を形成する二重床構造に関する。
【背景技術】
【０００２】
従来より、基礎床とパネル部材との間に空間を形成し、当該空間内で電気配線や電話線、ＬＡＮケーブル等を配索できるようにした二重床構造が知られている。
【０００３】
かかる二重床構造として、基礎床となる床スラブ上に支持脚を立設し、この支持脚の上端に設けた床受け部によってパネル部材を支持するようにしたものが知られている（支持脚方式；例えば、特許文献１参照）。
【０００４】
かかる方式では、支持脚が床受け部の高さ調整機能を備えており、複数の支持脚について床受け部の高さを適宜に調整することで、床スラブに不陸（凹凸）が生じていた場合にも、パネル部材の上面としては平坦面を確保できるという利点がある。
【０００５】
また、別の二重床構造として、床スラブ上に扁平な矩形ブロックを敷き詰めるものが知られている。このブロックには、適宜閉蓋可能な溝部が形成されており、この溝部内に配線を配索することができるようになっている（ブロックパネル方式；例えば、特許文献２参照）。
【０００６】
かかる方式では、ブロックを並べて敷き詰めることで、極めて容易に二重床構造を構築できるという利点がある。
【特許文献１】特開２００４−２７０３１５号公報（第３頁、第４図）
【特許文献２】特開２００３−３６５５号公報（第４−５頁、第４図）
【発明の開示】
【発明が解決しようとする課題】
【０００７】
しかしながら、上記特許文献１に開示されるような支持脚方式では、施工現場において、床スラブ上に所定間隔で支持脚を並べ、当該支持脚の台座を床スラブ上に直接的に接着等して固定するという作業を要し、上記ブロックパネル方式と比較して、現場での施工に手間がかかるという問題があった。
【０００８】
一方、上記特許文献２に開示されるようなブロックパネル方式では、高さ調整機能を有しないため、敷設したベース部材が床スラブの不陸に倣いやすく、上記支持脚方式と比較して、平坦面を形成し難いという問題があった。
【０００９】
そこで、本発明は、現場においてより容易に施工することができ、かつ、より平坦な床面を確保することができる二重床構造を得ることを目的とする。
【課題を解決するための手段】
【００１０】
請求項１にあっては、基礎床とパネル部材との間に空間を形成する二重床構造において、基礎床の表面形状に倣って撓む可撓性のベース部材と、上記ベース部材上に所定間隔で複数突設される支柱と、上記支柱にその上下位置を可変設定可能に支持される上下可動部材と、を備え、上記上下可動部材上に上記パネル部材を載置するようにしたことを特徴とする。
【００１１】
請求項２にあっては、上記支柱と上下可動部材との間に着脱可能に介装されるスペーサを備えることを特徴とする。
【００１２】
請求項３にあっては、上記スペーサを上記支柱または上記上下可動部材に係止する係止機構を設けたことを特徴とする。
【００１３】
請求項４にあっては、上記ベース部材の端縁に突設される支柱分割体を複数合体させて一つの上記支柱が形成されるようにしたことを特徴とする。
【００１４】
請求項５にあっては、上記ベース部材をシートとして構成したことを特徴とする。
【００１５】
請求項６にあっては、上記支柱に、上方に向けて突出する雄ネジ部を設け、上記上下可動部材を、上記雄ネジ部に螺合する雌ネジとして構成したことを特徴とする。
【００１６】
請求項７にあっては、基礎床に上に設置されてパネル部材を載置する二重床構造用の支持脚であって、支柱と、上記支柱にその上下位置を可変設定可能に固定される上下可動部材と、上記支柱と上下可動部材との間に着脱可能に介装されるスペーサと、を備えることを特徴とする。
【００１７】
請求項８にあっては、上記スペーサを上記支柱または上記上下可動部材に係止する係止機構を設けたことを特徴とする。
【発明の効果】
【００１８】
請求項１の発明によれば、ベース部材を基礎床に載置することで、複数の支柱が所定間隔で設置された状態を得ることができる。また、各支柱について、上下可動部材の設置高さを調整することができる。よって、支持脚を基礎床上に並べる作業や接着等の固定作業が不要になる分、施工現場における作業性が向上するとともに、パネル部材の支持点において基礎床の不陸を相殺する高さ調整が可能となって、パネル部材の上面（使用床面）としては平坦面を確保することができる。
【００１９】
請求項２の発明によれば、高さ調整機構をより簡素な構成として具現化することができ、厚さの異なるスペーサを複数種類準備しておくことで、より容易にかつより精度良く、上下可動部材の高さ位置を調節し、ひいては、パネル部材の平坦性を向上することができる。
【００２０】
請求項３の発明によれば、振動入力等によってスペーサが脱落するのが抑制され、二重床構造（支持脚構造）の信頼性を向上することができる。
【００２１】
請求項４の発明によれば、支柱分割体を突き合わせて合体させることで、相互に隣接する複数のベース部材を位置決めすることができる。
【００２２】
請求項５の発明によれば、シートとして構成されるベース部材を巻き取ることができる分、運搬性や収納性が向上するとともに、巻き取ったベース部材を基礎床上に拡げることで、極めて容易に複数の支柱が所定間隔で設置された状態を得ることができる。
【００２３】
請求項６の発明によれば、上下可動部材の設置および高さ調整を容易に行うことができるようになるという利点がある。
【００２４】
請求項７の発明によれば、二重床構造の支持脚において、高さ調整機構をより簡素な構成として具現化することができるとともに、厚さの異なるスペーサを複数種類準備しておくことで、より容易にかつより精度良く、上下可動部材の高さ位置を調節し、ひいては、パネル部材の平坦性を向上することができる。
【００２５】
請求項８の発明によれば、二重床構造の支持脚において、振動入力等によってスペーサが脱落するのが抑制され、支持脚構造の信頼性を向上することができる。
【発明を実施するための最良の形態】
【００２６】
以下、本発明の実施形態について図面を参照しつつ詳細に説明する。
【００２７】
（第１実施形態）図１は、本実施形態にかかる二重床構造の支持脚の断面図、図２は、二重床構造の分解斜視図、図３は、二重床構造のベース部材の斜視図、図４は、ベース部材の端縁に突設される支柱の分解斜視図、図５は、基礎床に支持脚を介してパネル部材を敷設した状態を示す断面図である。
【００２８】
本実施形態にかかる二重床構造は、図１に示すように、基礎床としての床スラブ１に支持脚１０を介してパネル部材２を敷設し、それら床スラブ１とパネル部材２との間に所定の空間Ｓを形成してなるものである。この空間Ｓ内に電気配線や電話線、ＬＡＮケーブル等の配線が配索される。また、パネル部材２の表面（上面）にはカーペット３が敷設される。
【００２９】
ここで、本実施形態では、ベース部材を、樹脂やゴム等からなる薄いシート状のフレキシブルシート２０として構成している。このフレキシブルシート２０は、非使用時には巻き取っておくことができるため、収納しやすく、かつ運搬しやすいという利点がある。
【００３０】
このフレキシブルシート２０には、図２にも示すように、支柱１１，１１Ａが複数突設され、各支柱１１，１１Ａによって、上下可動部材１３が支持されている。このとき、支柱１１，１１Ａと上下可動部材１３との間には、スペーサ１２が介装されており、このスペーサ１２によって、支柱１１，１１Ａに対する上下可動部材１３の取付高さ位置を可変設定できるようにしてある。
【００３１】
また、このフレキシブルシート２０は、図３に示すように、所定幅Ｗの帯状に形成されており、複数のフレキシブルシート２０の端縁２０ａ同士を相互に突き合わせることで、床スラブ１上に、複数のフレキシブルシート２０を隙間無く敷き詰めることができるようになっている。
【００３２】
さらにまた、フレキシブルシート２０には、図３に示すように、複数の支柱１１，１１Ａが、所定間隔で配置されている。本実施形態では、支柱１１，１１Ａは、縦横等間隔（スパンＬ）の直交マトリクスの交点となる位置に整列配置されている。
【００３３】
支柱１１は、略立方体状の外形を呈する一方、上下可動部材１３は、支柱１１の外側を囲繞するように下側が開放された箱形に形成されており、上下可動部材１３が支柱１１の外周に上下摺動可能に嵌合される。
【００３４】
また、上下可動部材１３の相互に対向する一対の側壁には、それぞれ開口部１３ａが形成されており、スペーサ１２を、当該一対の開口部１３ａを貫通するように上下可動部材１３の凹部内に挿入することで、支柱１１と上下可動部材１３との間にスペーサ１２を介装できるようにしている。なお、本実施形態では、開口部１３ａは、中央部下側が下方に切り欠かれてＴ字状の開口形状となっているが、これを、切欠の無い穴として形成してもよい。
【００３５】
この上下可動部材１３の上壁の略中央部には、断面円形の開口１３ｂが形成されるとともに、その開口１３ｂの周縁部に環状突起１３ｃが突設され、さらに、当該環状突起１３ｃから外方に向けて十字状にリブ１３ｄが突設されている。
【００３６】
そして、開口１３ｂから挿通した取付ボルト１４を、支柱１１の上面中央部に形成した雌ネジ穴１１ａに締め付けることにより、上下可動部材１３を支柱１１に固定できるようになっている。
【００３７】
なお、取付ボルト１４は、頭部１４ａを円盤状に形成してその中央部に十字溝１４ｂを形成してあり、プラスドライバ等を用いて取付ボルト１４を締め付けると、頭部１４ａの円盤部分によって、パネル部材２の角部Ｃを上下可動部材１３の上面に固定できるようになっている。
【００３８】
すなわち、図２に示すように、パネル部材２の角部Ｃには、環状突起１３ｃの外周に沿う段差部２ａを設けた円弧状段部２ｂが形成されており、その円弧状段部２ｂを上下可動部材１３の上面のリブ１３ｄで区画された１つに載置して、取付ボルト１４を締め付けることで、頭部１４ａの円盤部分と上下可動部材１３の上面との間に、段差部２ａを挟み込んで固定することができる。
【００３９】
また、スペーサ１２は、支柱１１と上下可動部材１３との間に着脱可能に介装できるようになっている。
【００４０】
本実施形態では、スペーサ１２は、図２に示すように、所定の厚さｔをもって全体として略Ｕ字状に形成されおり、そのＵ字状の両端部には外方に突出する係止手段としての鉤部１２ａがそれぞれ形成される一方、折曲部分（中央部）の両側には係止手段としての突起部１２ｂが形成される。
【００４１】
このスペーサ１２は、その両端部が互いに近接する方向（すなわちＵ字の開口幅を狭める方向）に弾性変形可能に構成されている。よって、スペーサ１２のＵ字の先端部を上下可動部材１３の図２中手前側の開口部１３ａに挿入すると、鉤部１２ａが開口部１３ａの両側から反力を受けて、両端部が撓み、その開口幅が狭まって当該開口部１３ａを通過することができる。さらに、そのままスペーサ１２を押し込むと、両端部は同様にして他方側（図２中奥側）の開口部を通過して拡開し、鉤部１２ａが当該開口部の両側の縁に係止される。このとき、手前側の開口部１３ａの両側の縁には、突起部１２ｂが係止される。こうして、スペーサ１２は、上下可動部材１３に係止される。このとき、スペーサ１２の弾性力によってスペーサ１２と上下可動部材１３とががたつくことなく相対的に固定されるようにするのが好適である。
【００４２】
また、このスペーサ１２に関しては、同一厚さｔのもの以外にその厚さｔが異なるものが複数準備されており、床スラブ１の不陸の大きさに応じて使用するスペーサ１２の種類や数を適宜に選択することができるようにしてある。
【００４３】
ところで、支柱１１Ａは、フレキシブルシート２０の端縁（本実施形態では幅方向端縁）２０ａに配置されるとともに、複数のフレキシブルシート２０の端縁２０ａ同士を突き合わせた状態で、隣接するフレキシブルシート２０の支柱１１Ａ同士を合体させて、一つの支柱１１が形成されるようにしてある。
【００４４】
本実施形態では、支柱１１Ａは、フレキシブルシート２０の中央部に突設される支柱１１に対しては、半割状態（二分割した支柱分割体）となっている。そして、支柱１１Ａ同士の突き合わせ面（分割面）１１Ａａには、二つの支柱１１Ａ同士が合体することで断面円形となる断面半円形状の凹部１１Ａｂが、上下方向に延設されている。
【００４５】
また、この支柱１１Ａは、対応する支柱１１Ａ，１１Ａ同士が合体した際に一対の凹部１１Ａｂによって形成される断面円形の凹部に、円柱状の挿入部材１５を嵌挿できるように構成されている。この挿入部材１５の中心軸上には、取付ボルト１４を螺合する雌ネジ穴１５ａが形成されている。したがって、支柱１１Ａ，１１Ａ同士を合体させてなる支柱に対しても、支柱１１の場合と全く同様にして、取付ボルト１４を螺合することができる。
【００４６】
なお、挿入部材１５の外周には一対の突起部１５ｂが突設され、この突起部１５ｂが凹部１１Ａｂの周縁に形成した一対の凹設部１１Ａｃに係合することによって、挿入部材１５の回転が規制されるようになっている。
【００４７】
そして、本実施形態では、対応する支柱１１Ａ，１１Ａ同士を合体させてなる支柱の外形状を、中央部の支柱１１の外形状とほぼ同一となるようにしてあるため、支柱１１の場合と共通の上下可動部材１３を取り付け、この上下可動部材１３にスペーサ１２を係止することができる。
【００４８】
以上の構成により、本実施形態にかかる二重床構造によれば、二重床を構築するにあたってフレキシブルシート２０を床スラブ１上に載置することで、複数の支持脚１０を所定間隔で配置した状態を得ることができ、その支持脚１０の上下可動部材１３にパネル部材２を設置することで二重床を構成することができる。なお、本実施形態では、パネル部材２の表面上にはカーペット３が敷設される。
【００４９】
すなわち、本実施形態によれば、支持脚１０を床スラブ１上に配置するにあたっては、フレキシブルシート２０を拡げるだけで済むため、施工現場では、各支持脚１０を床スラブ１に接着等して固定する作業が不要となり、現場での施工作業が著しく簡素化されて、迅速な二重床工事が可能となる。なお、フレキシブルシート２０に多数の支持脚１０を設けるとともに、面積を広く確保しておけば、フレキシブルシート２０を床スラブ１に敷設するのみで、接着等による固定を不要とすることができる。
【００５０】
また、フレキシブルシート２０は可撓性であるため、図５に示すように床スラブ１の表面の不陸形状（凹凸形状）に追従して密着性を高めることができるとともに、パネル部材２を設置した前記上下可動部材１３は、フレキシブルシート２０に固定した支柱１１，１１Ａに対してスペーサ１２の厚さｔや枚数を適宜調節して上下位置調節可能であるため、床スラブ１の不陸を相殺して、前記パネル部材２の平坦性や水平性を精度良く出すことができる。したがって、フレキシブルシート２０については、床スラブ１上に載置した状態で、その自重によって、あるいは支柱１１，１１Ａからの荷重によって、床スラブ１の表面から浮き上がることなく、当該表面形状に倣って撓む程度の可撓性を有するよう、材質や厚み等のスペックを設定するのが好適である。さらに、拡げて特に力を加えない状態（自由状態）では、折れ曲がることなく、相互に隣接する支柱１１，１１Ａ間で皺等が寄らない程度の弾性を与えるようにするのが好適である。
【００５１】
もちろん、スペーサ１２による支持脚１０の高さ調整はパネル部材２を敷設する前段階で行い、その高さ調整が完了した後にパネル部材２の角部Ｃを上下可動部材１３の上面に順次載置して取付ボルト１４で固定することになる。
【００５２】
また、本実施形態にあっては、支柱１１と上下可動部材１３との間に介装するスペーサ１２を用いて支持脚１０の高さ調整を行うようにしたため、高さ調整機構をより簡素な構成として具現化することができ、厚さの異なるスペーサ１２を複数種類準備しておくことで、より容易にかつより精度良く、上下可動部材の高さ位置を調節し、ひいては、パネル部材２の平坦性を向上することができる。
【００５３】
さらに、スペーサ１２は、所定の厚さｔをもった略Ｕ字状に形成して、そのＵ字状となった両端部に鉤部１２ａをそれぞれ形成するとともに、折曲部分（中央部）の両側には突起部１２ｂを形成して、スペーサ１２を挿入することで鉤部１２ａおよび突起部１２ｂが上下可動部材１３に係止されるようにしたため、二重床の施工後に地震やパネル部材２から入力される振動入力等によってスペーサ１２が脱落したり、振動したりするのが抑制され、二重床構造（支持脚構造）の信頼性を向上することができる。
【００５４】
さらにまた、フレキシブルシート２０の端縁（本実施形態では幅方向両側の端縁）２０ａに配置される支柱１１Ａは、隣接する別のフレキシブルシート２０に設けられる支柱１１Ａと合体して１つの支柱１１となるように構成したため、複数のフレキシブルシート２０を床スラブ１に設置する際に、分割した支柱１１Ａ同士を合わせることにより、隣接するフレキシブルシート２０との位置合わせを、極めて簡単にかつ精度良く行うことができる。
【００５５】
また、支柱１１，１１Ａを取り付けるベース部材をフレキシブルシート２０で形成したため、当該フレキシブルシート２０を支柱１１，１１Ａを固定したままの状態で巻き取ることができ、ベース部材の収納性や運搬性を向上できるとともに、ベース部材の設置時には巻き取ったフレキシブルシート２０を巻き戻すのみであるため、ベース部材の設置作業を著しく簡素化することができる。
【００５６】
ところで、本実施形態では支持脚１０の高さ調整は、スペーサ１２の数や厚さｔの異なるものを用いて微調節するようになっているが、床スラブ１の不陸が非常に大きい場合等には、高さの異なる上下可動部材１３を用意しておき、スペーサ１２による高さ調整と合わせて上下可動部材１３による高さ調整を併用することにより、支持脚１０の高さ調整幅を大幅に増大することができる。さらに、支柱１１，１１Ａをフレキシブルシート２０に対して着脱可能に構成しておき、高さの異なる支柱１１，１１Ａと交換できるようにすれば、支持脚１０の高さ調整幅をさらに増大することができる。
【００５７】
また、フレキシブルシート２０の端部に配置される支柱１１Ａは、図４に示したように突き合わせ面１１Ａａに凹部１１Ａｂを形成して、雌ネジ穴１５ａを形成した挿入部材１５を嵌合したが、これに限られるものではなく、例えば、図６に示すように、互いに突き合わされる一方の支柱１１Ａの突き合わせ面１１Ａａ′に断面半円状の凹部１１Ａｄを形成し、他方の支柱１１Ａの突き合わせ面１１Ａａ″に断面半円状の蒲鉾状凸部１１Ａｅを形成し、それら凹部１１Ａｄと蒲鉾状凸部１１Ａｅとを互いに係合させるようにしてもよい。この場合、雌ネジ穴１５ａは蒲鉾状凸部１１Ａｅの中心部に形成される。
【００５８】
また、本実施形態では、可撓性のベース部材としてフレキシブルシート２０を用い、そのフレキシブルシート２０に支柱１１，１１Ａを一体に成形してあるが、それら支柱１１，１１Ａはフレキシブルシート２０と別体に形成しておき、例えば現場に搬入する以前に接着やネジ止め等により一体に結合することも可能である。
【００５９】
さらにまた、ベース部材は、例えば図７に示すような、複数の支柱１１，１１Ａを帯状かつ薄板状の部材で連結する可撓性フレーム２１であってもよい。
【００６０】
（第２実施形態）図８は、本実施形態にかかる二重床構造の分解斜視図である。なお、本実施形態にかかる二重床構造は、上記第１実施形態にかかる二重床構造と同様の構成要素を有している。よって、対応する同様の構成要素については共通の符号を付与するとともに、重複する説明を省略するものとする。
【００６１】
本実施形態にかかる二重床構造は、基本的には第１実施形態と略同様の構成を有している。すなわち、ベース部材としてのフレキシブルシート２０には、所定間隔で配列された複数の支持脚１０Ａが突設され、支持脚１０Ａは、フレキシブルシート２０に固定される支柱３０と、この支柱３０に上下移動自在に取り付けられてパネル部材２を載置する上下可動部材３１と、を備えている。
【００６２】
ただし、高さ調整機構が、上記第１実施形態とは別の構成となっている。すなわち、本実施形態では、支柱３０と上下可動部材３１とを互いに螺合するネジ部３２によって高さ調整が行われる。
【００６３】
具体的には、支柱３０を円柱状に形成する一方、上下可動部材３１を上端が閉止される有底筒状に形成し、支柱３０の外周に形成した雄ネジ部３０ａと、上下可動部材３１の内周に形成した雌ネジ部３１ａと、によってネジ部３２を形成して、それら雄ネジ部３０ａと雌ネジ部３１ａとを互いに螺合した状態で上下可動部材３１を回転することにより、支柱３０に対する上下可動部材３１の上下位置を適宜に調整できるようになっている。
【００６４】
また、上下可動部材３１の上面の中央部には、第１実施形態と同様に開口３１ｂが形成され、その開口３１ｂから挿通した取付ボルト３３を、支柱３０の中心軸上に形成した雌ネジ穴３０ｂに締め付けることにより、上下可動部材３１を支柱３０に固定できるようになっている。
【００６５】
さらに、上下可動部材３１の上面には、第１実施形態と同様に、環状突起３１ｃおよび十字状のリブ３１ｄが突設され、パネル部材２の角部Ｃに形成した円弧状段部２ｂを十字状のリブ３１ｄによって区画された１つに載置して、取付ボルト３３を締め付けることにより、取付ボルト３３の頭部３３ａの円盤部分と上下可動部材３１の上面との間に段差部２ａを固定できるようになっている。
【００６６】
したがって、本実施形態によれば、上記第１実施形態と同様の作用効果を奏するのはもちろんのこと、ベース部材をフレキシブルシート２０で形成し、高さ調整機構を、支柱３０と上下可動部材３１とを互いに螺合するネジ部３２としたので、上下可動部材３１を回転するだけでパネル部材２の上下位置を極めて容易にかつより精度良く調整できるとともに、ベース部材がフレキシブルシート２０であるため、運搬性や設置作業性を向上することができるという利点を有するものである。
【００６７】
ところで、上記各実施形態では支持脚をベース部材に取り付けた場合を開示したが、ベース部材を用いることなく支持脚を床スラブ１に取り付ける場合にも、当該支持脚１０を、第１実施形態（図２参照）に示したものと同様の支柱１１と、この支柱１１にその上下位置を可変設定可能に固定される上下可動部材３１と、支柱１１と上下可動部材３１との間に着脱可能に介装されるスペーサ１２とを備えたものとして構成すれば、より容易にかつより精度良く、上下可動部材３１の高さ位置を調節し、ひいては、パネル部材の平坦性を向上することができる。
【００６８】
以上、本発明の好適な実施形態について説明したが、本発明は上記各実施形態に限定されるものではなく、本発明の要旨を逸脱しない範囲で他の実施形態を各種採用することができる。
【００６９】
例えば、上記実施形態では、スペーサが上下可動部材に係止される構成を開示したが、スペーサを支柱に係止させるように構成してもよい。この場合、例えば、支柱側に、上方に開口する凹部を形成し、当該凹部内に上下可動部材を挿入するように構成するとともに、凹部内にスペーサを介装させるようにすることができる。
【図面の簡単な説明】
【００７０】
【図１】本発明の第１実施形態にかかる二重床構造の支持脚の断面図。
【図２】本発明の第１実施形態にかかる二重床構造の分解斜視図。
【図３】本発明の第１実施形態にかかる二重床構造のベース部材の斜視図。
【図４】本発明の第１実施形態にかかるベース部材の端縁に突設される支柱の分解斜視図。
【図５】本発明の第１実施形態にかかる基礎床に支持脚を介してパネル部材を敷設した状態を示す断面図。
【図６】本発明の第１実施形態にかかる二重床構造の支柱の変形例の分解斜視図。
【図７】本発明の第１実施形態の変形例を示すベース部材の斜視図。
【図８】本発明の第２実施形態にかかる二重床構造の分解斜視図。
【符号の説明】
【００７１】
１  床スラブ（基礎床）
２  パネル部材
１０，１０Ａ  支持脚
１１，３０  支柱
１１Ａ  支柱（支柱分割体）
１２  スペーサ
１３，３１  上下可動部材
２０  フレキシブルシート（ベース部材）
２１  可撓性フレーム（ベース部材）
【図１】
2007077770.tif 000003
【図２】
2007077770.tif 000004
【図３】
2007077770.tif 000005
【図４】
2007077770.tif 000006
【図５】
2007077770.tif 000007
【図６】
2007077770.tif 000008
【図７】
2007077770.tif 000009
【図８】
2007077770.tif 000010